(57)【特許請求の範囲】
【請求項１】
底付き円筒状のキャップ本体の底部分を天面としこの天面の中央部にエアゾール容器のマウンテンカップの内外周縁のいずれかに係止可能な円筒状の凹部を形成し、この凹部の中央部にエアゾール容器のステムの外周が嵌合され下端面が塞がれた円筒状のステム嵌合穴を形成するとともに、このステム嵌合穴の底部分中央にステムの吐出孔に挿入されるテーパ状の突出棒を上方に突出させて設け、この突出棒の側面に沿って前記ステムの吐出孔を介してエアゾール容器内と連通可能なガス抜き溝を前記ステム嵌合穴の底部分途中まで形成するとともに、このガス抜き溝に連通させて前記ステム嵌合穴底面上に連通溝を形成し、この連通溝に連通させて前記キャップ本体の凹部下方のキャップ本体の空間のみと連通する貫通溝を前記キャップ本体の下方から側方まで開口させて当該凹部に形成する一方、前記ガス抜き溝の流路断面積に対して前記連通溝の流路断面積を大きく形成し吐出されるガス等内容物の勢いを弱めてガス抜き可能に構成し、前記キャップ本体を逆にして前記凹部をマウンテンカップの内外縁のいずれかに係止したとき前記ステム嵌合穴の底部分と前記突出棒との少なくともいずれか一方で前記ステムを押圧してガス抜き可能に前記凹部と前記ステム嵌合穴を配置したことを特徴とするエアゾール容器のガス抜き兼用キャップ。
【請求項２】
前記ステム嵌合穴の上端部外周にステムの先端をガイドする円錐状の傾斜面を形成してなることを特徴とする請求項１記載のエアゾール容器のガス抜き兼用キャップ。
【請求項３】
連通している前記ガス抜き溝と前記連通溝と前記貫通溝とを対角位置に形成した２条の溝で構成してなることを特徴とする請求項１または２記載のエアゾール容器のガス抜き兼用キャップ。
【発明の詳細な説明】
【０００１】
【発明の属する技術分野】
この発明はエアゾール容器のガス抜き兼用キャップに関し、エアゾール容器を廃棄する場合に、勢いを弱めて安全にガス等内容物を抜くことができるようにしたものである。
【０００２】
【従来の技術】
従来から化粧品、殺虫剤、塗料などのエアゾール容器では、内容物と噴射剤とが充填されていることから、廃棄する場合には残留内容物や残留ガスを放出することが求められている。
【０００３】
このエアゾール容器からの残留内容物や残留ガスの放出を使用者側で確実に行ってもらう必要から、簡単に放出できるようにエアゾール容器のキャップにガス抜きの機能を持たせたものが種々提案されており、通常時にはキャップとして使用していたものを、廃棄時などに逆にして被せることでガス等内容物を連続的に噴射させて放出するものである。
【０００４】
このようなガス抜き兼用キャップとして、例えば特開平８−３２４６６１号公報では、図４に示すように、キャップ本体１の天面部分１ａに凹部２を形成し、この凹部２の底部中央にエアゾール容器ＡのステムＳの先端部を嵌合可能で、かつ孔中間で係止可能な係合貫通孔３を形成し、このキャップ本体１を逆にしてエアゾール容器ＡのマウンテンカップＭに凹部２を被せたときにステムＳが押圧状態となるようにする係合部２ａを凹部２の周側面に形成するように構成してあり、係合貫通孔３から上方に残留ガスや残留内容物を噴射させて放出するようになっている。
【０００５】
このようなガス抜き兼用キャップを用いることで、キャップ本体１を逆にして被せるだけで簡単に残留した内容物やガスを放出できるものの、エアゾール容器内に残留している内容物やガスの量によっては、放出されるガスなどの勢いが強く、しかも上方に噴射されるため使用者の顔などにかかったり、周囲に飛散しやすいという不具合がある。
【０００６】
そこで、上方への噴射に代え、側方に噴射させることができるガス抜き兼用キャップが提案されており、例えば特開平１０−５３２８９号公報では、図５に示すように、キャップ本体４の天面部分４ａに凹部５を形成し、キャップ本体４を逆向きにエアゾール容器Ａに嵌合したときにエアゾール容器Ａの本体部は挿入できないがステムＳの先端部は挿入できる貫通孔６を凹部５の中央に形成し、逆向きに嵌合したときに挿入したステムＳの先端部が適度な位置で係止され、ステムＳが押圧状態に維持されるように貫通孔６の内周面にノズル挿入方向に向かって漸時突出する傾斜突条７を形成し、貫通孔６のキャップ本体４の内側部位に貫通孔６の軸方向をさえぎるとともに側方に開口部を維持するようにブリッジ状の方向変換部８を形成して構成されており、貫通孔６から上方に噴射される残留ガス等をブリッジ状の方向変換部８に当てることで斜め上方に噴射させて放出するようになっている。
【０００７】
また、特開平１０−２６４９５８号公報では、図６に示すように、キャップ本体９の天面部分９ａに凹部１０を形成し、この凹部１０の底部中央にエアゾール容器ＡのステムＳが挿入可能な挿入孔１１を形成し、この挿入孔１１の内面にステムＳの外径より径小とされた狭小部１２を設けるとともに、この狭小部１２の下方所要位置に噴射された液体を当てる止め板１３を設け、止め板１３と狭小部１２との連結部分に開口部１４が形成されて構成されており、狭小部１２によりエアゾール容器ＡのステムＳを押圧して残留液及び残留ガスを噴出させたときに、噴出した残留液が止め板１３に当たって開口部１４から略外周方向へと向かうようにして放出するようになっている。
【０００８】
これらのガス抜き兼用キャップを用いることで、キャップ本体４，９を逆にして被せるだけで簡単に残留した内容物やガスをブリッジ状の方向変換部８や止め板１３に当てることで斜め上方に噴射させて放出することができ、使用者の顔などにかかったり、周囲に飛散することを防止することができる。
【０００９】
【発明が解決しようとする課題】
ところが、キャップ本体４に形成した貫通孔６の内周面に傾斜突条７を備えたガス抜き兼用キャップでは、傾斜突条７でステムＳの先端外周を押さえて噴出させることから、残留ガス等がステムＳの吐出孔からそのまま勢い良く噴射され、前方のブリッジ状の方向変換部８に当たることから、斜め上方に噴射されるもののその勢いによって飛散し易く、特に完全に使いきっていない残留量が多い場合には、一層顕著となるとともに、ステムＳの外周と貫通孔６の内周との間に傾斜突条７によって隙間が形成され、噴射された残留内容物などが隙間からマウンテンカップＭ部分に逆流する恐れがあるという問題がある。
【００１０】
また、キャップ本体９に狭小部１２を設けた挿入孔１１を形成し、狭小部１２の前方に止め板１３を設けたガス抜き兼用キャップでは、ステムＳの先端外周を挿入孔１１の狭小部１２で押さえて噴出させることから、同様に、残留ガス等がステムＳの吐出孔からそのまま勢い良く噴射され、前方の止め板１３に当たることから、斜め上方に噴射されるもののその勢いによって飛散し易く、特に完全に使いきっていない残留量が多い場合には、一層顕著となるという問題がある。
【００１１】
さらに、ステムＳの外周は挿入孔１１の径小の狭小部１２に接触することから隙間のない線接触状態となるが、狭小部１２への押圧状態によっては隙間ができ易く、残留内容物などが隙間からマウンテンカップＭ部分に逆流する恐れがあるという問題がある。
【００１２】
この発明はかかる従来技術の有する課題を解決するためになされたもので、エアゾール容器の残留内容物および残留ガスを勢いを弱めて安全に抜くことができるとともに、放出された残留内容物がエアゾール容器側に逆流することがないエアゾール容器のガス抜き兼用キャップを提供しようとするものである。
【００１３】
【課題を解決するための手段】
上記従来技術の有する課題を解決するため、この発明の請求項１記載のエアゾール容器のガス抜き兼用キャップは、底付き円筒状のキャップ本体の底部分を天面としこの天面の中央部にエアゾール容器のマウンテンカップの内外周縁のいずれかに係止可能な円筒状の凹部を形成し、この凹部の中央部にエアゾール容器のステムの外周が嵌合され下端面が塞がれた円筒状のステム嵌合穴を形成するとともに、このステム嵌合穴の底部分中央にステムの吐出孔に挿入されるテーパ状の突出棒を上方に突出させて設け、この突出棒の側面に沿って前記ステムの吐出孔を介してエアゾール容器内と連通可能なガス抜き溝を前記ステム嵌合穴の底部分途中まで形成するとともに、このガス抜き溝に連通させて前記ステム嵌合穴底面上に連通溝を形成し、この連通溝に連通させて前記キャップ本体の凹部下方のキャップ本体の空間のみと連通する貫通溝を前記キャップ本体の下方から側方まで開口させて当該凹部に形成する一方、前記ガス抜き溝の流路断面積に対して前記連通溝の流路断面積を大きく形成し吐出されるガス等内容物の勢いを弱めてガス抜き可能に構成し、前記キャップ本体を逆にして前記凹部をマウンテンカップの内外縁のいずれかに係止したとき前記ステム嵌合穴の底部分と前記突出棒との少なくともいずれか一方で前記ステムを押圧してガス抜き可能に前記凹部と前記ステム嵌合穴を配置したことを特徴とするものである。
【００１４】
このエアゾール容器のガス抜き兼用キャップによれば、底付き円筒状のキャップ本体の底部分を天面としこの天面の中央部にエアゾール容器のマウンテンカップの内外周縁のいずれかに係止可能な円筒状の凹部を形成し、この凹部の中央部にエアゾール容器のステムの外周が嵌合され下端面が塞がれた円筒状のステム嵌合穴を形成するとともに、このステム嵌合穴の底部分中央にステムの吐出孔に挿入されるテーパ状の突出棒を上方に突出させて設け、この突出棒の側面に沿って前記ステムの吐出孔を介してエアゾール容器内と連通可能なガス抜き溝を前記ステム嵌合穴の底部分途中まで形成するとともに、このガス抜き溝に連通させて前記ステム嵌合穴底面上に連通溝を形成し、この連通溝に連通させて前記キャップ本体の凹部下方のキャップ本体の空間のみと連通する貫通溝を前記キャップ本体の下方から側方まで開口させて当該凹部に形成する一方、前記ガス抜き溝の流路断面積に対して前記連通溝の流路断面積を大きく形成し吐出されるガス等内容物の勢いを弱めてガス抜き可能に構成し、前記キャップ本体を逆にして前記凹部をマウンテンカップの内外縁のいずれかに係止したとき前記ステム嵌合穴の底部分と前記突出棒との少なくともいずれか一方で前記ステムを押圧してガス抜き可能に前記凹部と前記ステム嵌合穴を配置するようにしたので、キャップ本体を逆にして凹部をマウンテンカップに係止することで、ステム外周がステム嵌合穴の内周に嵌合されるとともに、ステムの吐出孔にテーパ状の突出棒が挿入されてステムを押圧して噴出状態となり、残留内容物および残留ガスが突出棒のガス抜き溝、凹部の連通溝および貫通溝を介してキャップ本体内にのみ放出されるようになり、ステムの吐出孔に挿入した突出棒のガス抜き溝から噴出させることで勢いを弱めて放出させることができ、ステム外周をステム嵌合穴に嵌合することで、放出された残留内容物の逆流も防止できるようになる。
また、前記凹部に形成される前記貫通溝を前記キャップ本体の下方から側方まで開口させて形成するようにしており、一層確実に勢いを弱めて斜め上方に放出させることができ、しかもプラスチックなどでの一体成形が簡単にできるようになる。
さらに、前記ガス抜き溝の流路断面積に対して前記連通溝の流路断面積を大きく形成し吐出されるガス等内容物の勢いを弱めてガス抜き可能に構成するようにしており、狭い流路から広い流路に噴出させて一層確実に勢いを弱めて放出させることができるようになる。
【００１５】
また、この発明の請求項２記載のエアゾール容器のガス抜き兼用キャップは、請求項１記載の構成に加え、前記ステム嵌合穴の上端部外周にステムの先端をガイドする円錐状の傾斜面を形成してなることを特徴とするものである。
【００１６】
このエアゾール容器のガス抜き兼用キャップによれば、ステム嵌合穴の上端部外周にステムの先端をガイドする円錐状の傾斜面を形成するようにしており、円錐状の傾斜面でステムの先端をガイドしてステムを損傷すること無く簡単にキャップ本体を逆向きに被せることができるようになる。
【００１７】
さらに、この発明の請求項３記載のエアゾール容器のガス抜き兼用キャップは、請求項１または２記載の構成に加え、連通している前記ガス抜き溝と前記連通溝と前記貫通溝とを対角位置に形成した２条の溝で構成してなることを特徴とするものである。
【００１８】
このエアゾール容器のガス抜き兼用キャップによれば、連通している前記ガス抜き溝と前記連通溝と前記貫通溝とを対角位置に形成した２条の溝で構成するようにしており、一層確実に勢いを弱めて放出させることができるようになる。
【００２３】
【発明の実施の形態】
以下、この発明のエアゾール容器のガス抜き兼用キャップの一実施の形態について図面に基づき詳細に説明する。
【００２４】
図１〜図３はこの発明のエアゾール容器のガス抜き兼用キャップの一実施の形態にかかリ、図１は縦断面図、平面図、底面図、図２は一部分の拡大斜視図、一部分の拡大断面図、平面図、底面図、図３はガス抜き状態の縦断面図、一部分の拡大断面図である。
【００２５】
このエアゾール容器のガス抜き兼用キャップ２０は、エアゾール容器Ａの円筒状の缶胴の上部を覆うトップドームＤとの連結部Ｃに係止される底付きの円筒状のプラスチック製のキャップ本体２１を備えており、通常はキャップ本体２１の底部分を天面とし、開口部を下にしてエアゾール容器Ａの連結部Ｃに被せるように取り付けて使用され、取付状態を保持するため、開口部内周複数箇所（図示例では４箇所）に内側に突出した係止部２２が一体に形成してある。
【００２６】
このガス抜きキャップ２０には、キャップ本体２１を逆さまにしてエアゾール容器Ａに取り付けてガス抜きを行うための機構が設けられるが、以下、通常の底部分を上にした状態を基準として説明する
このキャップ本体２１には、天面２１ａの中央部にエアゾール容器ＡのトップドームＤの上端を塞ぐマウンテンカップＭの外径に対応した内径の円筒状の凹部２３が形成され、凹部２３の側壁部分の上端部内周にマウンテンカップＭへの係止部２４が内側に突出するとともに円周方向に３０度の間隔を開けて４つに分割されて６０度分ずつが一体に形成してある。
【００２７】
なお、このキャップ本体２１の凹部２３をマウンテンカップＭの内周縁に係止する場合には、係止部２４を凹部２３から上方に突き出して形成するようにしておく。
【００２８】
この凹部２３の底面部分の中央部には、エアゾール容器ＡのステムＳの外径に対応し、下端面が塞がれた円筒状のステム嵌合穴２５がステムＳの嵌合をガイドする円錐状の傾斜面２６を介して一体に形成され、このステム嵌合穴２５の下端面である底部分にステムＳの先端面が当たるようにしてある。
【００２９】
このステム嵌合穴２５の底部分から上方に突き出してステムＳの吐出孔Ｈに挿入される上方に向かって細いテーパ状の突出棒２７が一体に形成され、ステム嵌合穴２５の底面との最も太径部分が吐出孔Ｈの内径と同一径としてあり、ステムＳをステム嵌合穴２５に嵌合するとともに、吐出孔Ｈに突出棒２７が挿入された状態で、ステムＳの先端面がステム嵌合穴２５の底部分に当たると同時に吐出孔Ｈの内周が突出棒２７の外周と密着状態となるようにしてある。
【００３０】
なお、突出棒２７の最も太径部分を吐出孔Ｈの内径より僅かに大きい径としたり、あるいはわずかに小さい径としても良く、ステムＳをステム嵌合穴２５に嵌合した場合に、ステムＳの先端面がステム嵌合穴２５の底部分に当たるわずか手前で吐出孔Ｈの内周が突出棒２７の外周と密着状態となるようにしたり、ステムＳの先端面がステム嵌合穴２５の底部分に当たった状態で吐出孔Ｈの内周と突出棒２７の外周との間にわずかな隙間が形成される状態とする。
【００３１】
このようなガス抜き兼用キャップ２０では、ステム嵌合穴２５に外周が嵌合されるとともに、内周の吐出孔Ｈに突出棒２７が挿入されたステムＳを介してエアゾール容器Ａ内の残留内容物および残留ガスを抜くため、テーパ状の突出棒２７の傾斜した側面に沿って対角位置に２本のガス抜き溝２８が上端からステム嵌合穴２５の底面を越えて底部分の途中まで形成されるとともに、ステム嵌合穴２５の底面上に沿ってそれぞれのガス抜き溝２８の基端につながる連通溝２９が形成され、これらの連通溝２９の先端にそれぞれ連通させてキャップ本体２１の凹部２３の下方の空間内と連通する貫通溝３０が形成してある。
【００３２】
そして、これら対角位置の貫通溝３０はステム嵌合穴２５の側壁部分と底面部分の隅部を切り欠くように形成され、キャップ本体２１の凹部２３の下方から側方の略９０度の範囲が開口した状態となっており、この貫通溝３０を、半径方向内側をステム嵌合穴２５より僅かに中心側とし、軸方向上側をステム嵌合穴２５の底面と一致するように配置してある。
【００３３】
また、ガス抜き溝２８の流路断面積に対して連通溝２９の流路断面積が大きくなるように形成してあり、これらの溝２８，２９を通って噴射される残留ガス等は断面積の狭い流路から広い流路を介して噴射され、ガスの勢いが弱められる。そして、キャップ本体２１を逆さまにして凹部２３の係止部２４をマウンテンカップＭに係止したとき、ステムＳがステム嵌合穴２５の底面と突出棒２７の外周面の両方、あるいはいずれか一方で押圧されて連続噴射状態となるように凹部２３とステム嵌合穴２５の位置が定めてあり、この連続噴射状態を凹部２３の内周４か所の係止部２４をマウンテンカップＭに係止することで保持できるようにしてある。
【００３４】
このように構成したガス抜き兼用キャップ２０では、エアゾール容器Ａを廃棄する場合等には、通常はエアゾール容器Ａのキャップとして用いるキャップ本体２１を逆さまにしてキャップ本体２１の凹部２３をマウンテンカップＭに係止すると、円錐状の傾斜面でガイドされてステム嵌合穴２５に嵌合されたステムＳがステム嵌合穴２５の底面と突出棒２７の外周面の両方、あるいはいずれか一方で押圧されて連続噴射状態となり、２条のガス抜き溝２８から横向きの連通溝２９を経て噴射方向が横向きとされ、横から上に開口した貫通溝３０からキャップ本体１１内にガスの勢いを弱めて放出され、残留内容物および残留ガスが完全に排出される。
【００３５】
このガス抜き兼用キャップ２０では、ガス抜きの際、ステムＳの吐出孔Ｈに突出棒２７を挿入し、突出棒２７の傾斜面に形成した２条のガス抜き溝２８から残留内容物および残留ガスを噴射させるようにしてあり、吐出孔Ｈの流路断面積に比べて流路断面積の合計が小さいガス抜き溝２８から噴射させることで、流量を抑えてガスの勢いを弱めて噴射させることができ、しかもガス抜き溝２８に連通する連通溝２９の流路断面積は大きくしてあるので、これら連通溝２９でも一層ガスの勢いを弱めることができ、さらに連通溝２９先端の貫通溝３０が側方から上方の略９０度の範囲で開口して形成してあるので、一層の減圧効果があり、キャップ本体２１内に放出される場合には、ガスの勢いを非常に弱めて放出することができる。
【００３６】
これにより、使用者の顔などに掛かったり、周囲に飛散することを防止することができる。
【００３７】
また、このガス抜き兼用キャップ２０では、キャップ本体２１を逆にしてエアゾール容器ＡのトップドームＤとの連結部Ｃに係止部２４で係止した状態では、ステムＳの外周がステム嵌合穴２５に嵌合されて内周と密着状態となるので、ステムＳの吐出孔Ｈに挿入された突出棒２７のガス抜き溝２８およびステム嵌合穴２５の底面上の連通溝２８を介して放出される残留内容物および残留ガスがエアゾール容器ＡのマウンテンカップＭ側に逆流することもなく、キャップ本体２１内に放出することができる。
【００３８】
さらに、このガス抜き兼用キャップ２０では、キャップ本体２１の凹部２３の側壁部分と底部分との隅部の貫通溝３０を、半径方向内側がステム嵌合穴２５より中心側となり、軸方向上側がステム嵌合穴２５の底面と一致するように配置することで、プラスチックによる成形の際、特殊な成形法を用いること無く一体成形で簡単に作ることができる。
【００３９】
なお、上記実施の形態では、ガス抜き溝、連通溝、貫通溝を対角位置に形成した２条の溝で構成したが、これに限らず、１条だけとしたり、３条以上としても良く、溝の断面形状も図示例の矩形断面とする場合に限らず、Ｕ字状や半円状など他の断面形状であっても良い。
【００４０】
また、上記実施の形態の説明でも明らかなように、この発明でいうガス抜きには、残留ガスを抜くことだけでなく、残留ガスおよび残留内容物を抜くことも含むものである。
【００４１】
【発明の効果】
以上一実施の形態とともに具体的に説明したように、この発明の請求項１記載のエアゾール容器のガス抜き兼用キャップによれば、底付き円筒状のキャップ本体の底部分を天面としこの天面の中央部にエアゾール容器のマウンテンカップの内外周縁のいずれかに係止可能な円筒状の凹部を形成し、この凹部の中央部にエアゾール容器のステムの外周が嵌合され下端面が塞がれた円筒状のステム嵌合穴を形成するとともに、このステム嵌合穴の底部分中央にステムの吐出孔に挿入されるテーパ状の突出棒を上方に突出させて設け、この突出棒の側面に沿って前記ステムの吐出孔を介してエアゾール容器内と連通可能なガス抜き溝を前記ステム嵌合穴の底部分途中まで形成するとともに、このガス抜き溝に連通させて前記ステム嵌合穴底面上に連通溝を形成し、この連通溝に連通させて前記キャップ本体の凹部下方のキャップ本体の空間のみと連通する貫通溝を前記キャップ本体の下方から側方まで開口させて当該凹部に形成する一方、前記ガス抜き溝の流路断面積に対して前記連通溝の流路断面積を大きく形成し吐出されるガス等内容物の勢いを弱めてガス抜き可能に構成し、前記キャップ本体を逆にして前記凹部をマウンテンカップの内外縁のいずれかに係止したとき前記ステム嵌合穴の底部分と前記突出棒との少なくともいずれか一方で前記ステムを押圧してガス抜き可能に前記凹部と前記ステム嵌合穴を配置するようにしたので、キャップ本体を逆にして凹部をマウンテンカップに係止することで、ステム外周がステム嵌合穴の内周に嵌合されるとともに、ステムの吐出孔にテーパ状の突出棒が挿入されてステムを押圧して噴出状態とすることができ、残留内容物および残留ガスを突出棒のガス抜き溝、凹部の連通溝および貫通溝を介してキャップ本体内にのみ放出することができ、ステムの吐出孔に挿入した突出棒のガス抜き溝から噴出させることで勢いを弱めて放出させることができるとともに、ステム外周をステム嵌合穴に嵌合することで、放出された残留内容物の逆流も防止することができる。
また、凹部に形成される貫通溝をキャップ本体の下方から側方まで開口させて形成するようにしたので、一層確実に勢いを弱めて斜め上方に放出させることができ、しかもプラスチックなどで簡単に一体成形することができる。
さらに、ガス抜き溝の流路断面積に対して連通溝の流路断面積を大きく形成し吐出されるガス等内容物の勢いを弱めてガス抜き可能に構成したので、狭い流路から広い流路に噴出させて一層確実に勢いを弱めて残留内容物および残留ガスを放出させることができる。
【００４２】
また、この発明の請求項２記載のエアゾール容器のガス抜き兼用キャップによれば、ステム嵌合穴の上端部外周にステムの先端をガイドする円錐状の傾斜面を形成するようにしたので、円錐状の傾斜面でステムの先端をガイドしてステムを損傷すること無く簡単にキャップ本体を逆向きに被せることができ、ガス抜きを容易に行うことができる。
【００４３】
さらに、この発明の請求項３記載のエアゾール容器のガス抜き兼用キャップによれば、連通しているガス抜き溝と連通溝と貫通溝とを対角位置に形成した２条の溝で構成するようにしたので、一層確実に勢いを弱めて残留内容物および残留ガスを放出させることができる。
【図面の簡単な説明】
【図１】この発明のエアゾール容器のガス抜き兼用キャップの一実施の形態にかかる縦断面図、平面図、底面図である。
【図２】この発明のエアゾール容器のガス抜き兼用キャップの一実施の形態にかかる一部分の拡大斜視図、一部分の拡大断面図、平面図、底面図である。
【図３】この発明のエアゾール容器のガス抜き兼用キャップの一実施の形態にかかるガス抜き状態の縦断面図、一部分の拡大断面図である。
【図４】従来のエアゾール容器のガス抜き兼用キャップの縦断面図およびガス抜き状態の縦断面図である。
【図５】従来のエアゾール容器のガス抜き兼用キャップの縦断面図およびガス抜き状態の一部分の拡大断面図である。
【図６】従来のエアゾール容器のガス抜き兼用キャップの縦断面図およびガス抜き状態の縦断面図である。
【符号の説明】
Ａ  エアゾール容器
Ｓ  ステム
Ｈ  吐出孔
Ｍ  マウンテンカップ
Ｃ  連結部
Ｄ  トップドーム
２０  エアゾール容器のガス抜き兼用キャップ
２１  キャップ本体
２１ａ  天面
２３  凹部
２４  係止部
２５  ステム嵌合穴
２６  傾斜面
２７  突出棒
２８  ガス抜き溝
２９  連通溝
３０  貫通溝
【図１】
0004312882.tif 000002
【図２】
0004312882.tif 000003
【図３】
0004312882.tif 000004
【図４】
0004312882.tif 000005
【図５】
0004312882.tif 000006
【図６】
0004312882.tif 000007